(57)【要約】【課題】内視鏡の携帯性及び操作性を高める。【解決手段】電子内視鏡に送気する場合には、作業者は、送気管選択ボタン２５を押下せずにゴム球２０の圧縮操作を繰り返し行う。このとき、第２送気管２４は塞がれているのでゴム球２０内の空気は第１送気管２３から送り出される。第１送気管２３から送り出された空気は電子内視鏡に送られる。電子内視鏡に送水する場合には、作業者は送気管選択ボタン２５を押下してゴム球２０の圧縮操作を繰り返し行う。このとき、第１送気管２３は塞がれているのでゴム球２０内の空気が第２送気管２４から送り出される。第２送気管２４から送り出された空気は送水タンクに送り込まれる。送水タンク内に空気が送り込まれると送水タンク内の内圧が高くなって、内部の液体が電子内視鏡に送り込まれる。【選択図】図２
2010082045.tif 000002
【特許請求の範囲】
【請求項１】
体内に挿入する管状の挿入部に送気及び送水する内視鏡用の手動ポンプであって、
内部の空気を圧縮する圧縮操作が行われるゴム球と、
前記圧縮操作が行われた前記ゴム球内の空気を外部に送り出す管路を有し、送気用のチューブの一端を接続する第１送気管と、
前記圧縮操作が行われた前記ゴム球内の空気を外部に送り出す管路を有し、送水用のタンクに一端を挿入する送水用のチューブの他端を接続する第２送気管と、
前記第１送気管及び前記第２送気管のそれぞれに設けられ、前記第１送気管及び前記第２送気管から前記ゴム球内に外部の空気が送り込まれることを防止する第１逆流防止弁と、
前記圧縮操作が行われた後に外部の空気を前記ゴム球内に送り込む吸気通路と、
前記吸気通路に設けられ、前記ゴム球内の空気が前記吸気口から外部に送り出されることを防止する第２逆流防止弁と、
前記第１送気管と前記第２送気管とのいずれかを選択する選択操作部材と、
前記選択操作部の操作に連動し、前記選択操作部の操作で選択された前記第１送気管又は前記第２送気管の管路を塞ぐ送気管切り替え部材と備えたことを特徴とする内視鏡用の手動ポンプ。
【発明の詳細な説明】
【技術分野】
【０００１】
本発明は、被検体内に挿入する管状の挿入部に送気及び送水する内視鏡用の手動ポンプに関する。
【背景技術】
【０００２】
近年、ベットサイドや救急現場での電子内視鏡を用いた診療の利便性を高くするために、例えば特許文献１〜３で示されるようなワイヤレス型の電子内視鏡を用いることが提案されている。ワイヤレス型の電子内視鏡は、プロセッサとの間で無線により信号を送信することによって、ＣＣＤで撮像した画像をモニタに表示させることができる。これにより、電子内視鏡をプロセッサに接続する手間が省くことが可能になり、また、プロセッサやモニタを移動させる手間を省くことが可能になるので、電子内視鏡の携帯を従来よりも容易にでき、その操作性を向上させることができる。
【特許文献１】特開２００６−２８０５３７号公報
【特許文献２】特開２００３−１３５３６６号公報
【特許文献３】特開２００６−２８０５３５号公報
【発明の開示】
【発明が解決しようとする課題】
【０００３】
ところで、電子内視鏡では、体内に挿入する管状の挿入部に送気及び送水を行って、挿入部の先端から空気や液体を送り出すことによって、その先端に設けられた観察窓の洗浄や曇りの除去、体内への送気などが行われる。しかし、特許文献１〜３で示すようなワイヤレス型の電子内視鏡では、送気及び送水用のユニットを取り付けなければならないため、電子内視鏡が大型化し、携帯や操作の面で利便性に欠けていた。
【０００４】
本発明は、上記課題を鑑みてなされたものであり、内視鏡の携帯性及び操作性を高めることを目的とする。
【課題を解決するための手段】
【０００５】
上記目的を達成するため、本発明の内視鏡用の手動ポンプは、体内に挿入する管状の挿入部に送気及び送水する内視鏡用の手動ポンプであって、内部の空気を圧縮する圧縮操作が行われるゴム球と、前記圧縮操作が行われた前記ゴム球内の空気を外部に送り出す管路を有し、送気用のチューブの一端を接続する第１送気管と、前記圧縮操作が行われた前記ゴム球内の空気を外部に送り出す管路を有し、送水用のタンクに一端を挿入する送水用のチューブの他端を接続する第２送気管と、前記第１送気管及び前記第２送気管のそれぞれに設けられ、前記第１送気管及び前記第２送気管から前記ゴム球内に外部の空気が送り込まれることを防止する第１逆流防止弁と、前記圧縮操作が行われた後に外部の空気を前記ゴム球内に送り込む吸気通路と、前記吸気通路に設けられ、前記ゴム球内の空気が前記吸気口から外部に送り出されることを防止する第２逆流防止弁と、前記第１送気管と前記第２送気管とのいずれかを選択する選択操作部材と、前記選択操作部の操作に連動し、前記選択操作部の操作で選択された前記第１送気管又は前記第２送気管の管路を塞ぐ送気管切り替え部材と備えたものである。
【発明の効果】
【０００６】
請求項１記載の発明によれば、送気及び送水用のユニットを内視鏡に取り付ける必要がなくなるので、内視鏡の携帯性及び操作性を高めることができる。
【発明を実施するための最良の形態】
【０００７】
図１に示すように、本発明の手動ポンプ１０は、ワイヤレス型の電子内視鏡１１に用いられる。電子内視鏡１１は、プロセッサと無線による電波の送受信を行ってＣＣＤで撮像した患部の画像をプロセッサのモニタで表示させる、いわゆるワイヤレス型である。電子内視鏡１１は、患者の体内に挿入される管状の挿入部１１ａを備えている。挿入部１１ａの先端部には、ＣＣＤや光学系が設けられており、被観察部位に照射した光が反射し、反射した光が観察窓を介して光学系に入射する。ＣＣＤは光学系で結像した被写体像を撮像する。
【０００８】
手動ポンプ１０には送気用チューブ１２及び送水用チューブ１３の一端が接続されている。送気用チューブ１２の他端は、電子内視鏡１１内に設けられている送気管（図示せず）に接続されている。送気管に送り込まれた空気は電子内視鏡１１の挿入部１１ａの先端から噴出する。送水用チューブ１３の他端は、送水タンク１４に接続されている。送水タンク１４内には、送水用チューブ１５の一端が接続されている。送水用チューブ１５の他端は電子内視鏡１１内に設けられている送水管（図示せず）に接続されている。送水用チューブ１３内に送り込まれた空気は送水タンク１４内に流れる。送水タンク１４内に空気が送り込まれると、送水タンク１４内の内圧が高くなる。これにより、送水タンク１４内の水が送水用チューブ１５に流れて電子内視鏡１１の送水管に送り込まれる。送水管に送り込まれた水は挿入部１１ａの先端から噴出する。挿入部１１ａの先端から噴出した水や空気は患部への送気及び送水や観察窓の洗浄や曇り止めに用いられる。
【０００９】
図２に示すように、手動ポンプ１０は筒状のゴム球２０を備えている。ゴム球２０は、これを握りつぶすことによって内部の空気を圧縮する圧縮操作が行われる。ゴム球２０の両端には円形のキャップ２１，２２が取り付けられている。
【００１０】
キャップ２１の前面には、送気用チューブ１２の一端が接続される第１送気管２３と、送水用チューブ１３の一端が接続される第２送気管２４とが縦並びに設けられている。第１送気管２３と第２送気管２４は筒状に形成されており、その内部の管路２３ａ，２４ａ（図５参照）から圧縮されたゴム球２０内の空気を外部に送り出す。
【００１１】
第１送気管２３と第２送気管２４の間には送気管選択ボタン（選択操作部材）２５が設けられている。送気管選択ボタン２５は、常態では、ゴム球２０内の空気を第１送気管２３から外部に送り出す第１送出位置（図２（Ａ）に示す位置）に位置している。第１送出位置の送気管選択ボタン２５を押下すると、送気管選択ボタン２５は第２送出位置（図２（Ｂ）に示す位置）に移動し、ゴム球２０内の空気が第２送気管２４から外部に送り出される。
【００１２】
図３に示すように、送気管選択ボタン２５は、ボタンキャップ２６と軸２７を備えている。軸２７は、一端側のキャップ取付部２７ａと、他端側のバネ挿入部２７ｂと、これらの間のバネ押さえ部２７ｃとからなる。バネ押さえ部２７ｃは最も径が太く、バネ挿入部２７ｂは最も径が細くなっている。また、キャップ取付部２７ａの径はこれらの中間になっている。送気管選択ボタン２５の組み立て時には、キャップ２１に形成されている孔２１ａにキャップ取付部２７ａを通してその先端にボタンキャップ２６が嵌め込まれる。
【００１３】
ゴム球２０の内側には略円盤状の部品取付ベース２８が嵌め込まれている。部品取付ベース２８の前面はキャップ２１の裏面に当接している。部品取付ベース２８の前面には矩形のバネ収納孔２８ａが形成されている。バネ収納孔２８ａ内にはコイルバネ２９が収納されている。
【００１４】
図４に示すように、バネ収納孔２８ａの奥には円柱状にくり抜かれたバネ収納部２８ｂが形成されており、バネ収納部２８ｂの底面には貫通孔が形成されている。バネ収納部２８ｂにはコイルバネ２９が収納され、その底面の貫通孔には軸２７のバネ挿入部２７ｂが挿通されている。コイルバネ２９は、一端はバネ収納部２８ｂの底面で押さえられ、他端は、軸２７のバネ押さえ部２７ｃによって押さえられている。これにより、送気管選択ボタン２５はコイルバネ２９によって図中（Ａ）の第１送出位置に付勢されている。送気管選択ボタン２５を図中（Ｂ）の第２送出位置に押下するとコイルバネ２９が縮んだ状態となる。
【００１５】
図５に示すように、部品取付ベース２８の前面には一対の円形の弁収納孔２８ｃが形成されている。弁収納孔２８ｃは部品取付ベース２８を貫通している。弁収納孔２８ｃの各々には、第１送気管２３及び第２送気管２４から外部の空気がゴム球２０内に送り込まれることを防止する第１逆流防止弁３０が挿入されている。
【００１６】
第１逆流防止弁３０は、ゴム球２０内から外部に空気が送り出されると、弁収納孔２８ｃ内を移動して弁収納孔２８ｃを開放し、ゴム球２０内に空気が送り込まれると、弁収納孔２８ｃ内を移動して弁収納孔２８ｃを塞ぐ。これにより、外部の空気が第１送気管２３及び第２送気管２４からゴム球２０内に送り込まれることを防止できる。
【００１７】
部品取付ベース２８の周面には軸挿入孔２８ｄが形成されている。軸挿入孔２８ｄには、送気管切り替えレバー（送気管切り替え部材）３１を取り付ける軸３２が挿通されている。
【００１８】
送気管切り替えレバー３１には、その基端部に円筒形の軸挿入部３１ａが形成されており、先端部には扇形の管路遮断部３１ｂが形成されている。軸挿入部３１ａの軸挿入孔３１ｃには軸３２が挿入されている。軸挿入孔３１ｃに挿入された軸３２の両端は軸挿入孔２８ｃで保持される。これにより、軸３２と軸２７は直交する。
【００１９】
送気管切り替えレバー３１は軸３２を中心に揺動する。送気管切り替えレバー３１は、管路遮断部３１ｂの周面に連なる一方の側端面が当接して第１送気管２３の管路２３ａを塞ぐ第１閉鎖位置（図中（Ａ）に示す位置）と、管路遮断部３１ｂの周面に連なる他方の側端面が当接して第２送気管２４の管路２４ａを塞ぐ第２閉鎖位置（図中（Ｂ）に示す位置）との間で揺動する。
【００２０】
軸挿入部３１ａの周面には一対の軸受け３１ｄが形成されている。また、各軸受け３１ｄの隙間を軸２７が通されている。軸２７のバネ押さえ部２７ｃには、その軸方向と直交する貫通孔が形成されており、この貫通孔に軸３３が挿入されている。軸３３の両端は、各軸受け３１ｄに形成されている長孔状の軸挿入孔で保持されている。これにより、送気管選択ボタン２５に連動して送気管切り替えレバー３１が第１閉鎖位置と第２閉鎖位置との間で移動する。
【００２１】
キャップ２２には、圧縮操作が行われたゴム球２０内に外部の空気を送り込む吸気管路２２ａが形成されている。このため、圧縮操作を行ってゴム球２０内の空気を外部に送り出しても、吸気管路２２ａからの吸気によってゴム球２０は自然に膨張し、再度圧縮操作を行うことが可能になる。吸気管路２２ａには第１逆流防止弁３０と同一構成の第２逆流防止弁３４が嵌め込まれている。第２逆流防止弁３４は、ゴム球２０内に空気が吸気管路２２ａから外部に送り出されることを防止する。
【００２２】
上記のように構成された手動ポンプ１０を用いて電子内視鏡１１に送気及び送水するときの作用について説明する。
【００２３】
電子内視鏡１１に送気する場合には、作業者は、送気管選択ボタン２５を押下せず、第１送出位置に位置させたままゴム球２０の圧縮操作を繰り返し行う。このとき、第２送気管２４は第２閉鎖位置にある送気管切り替えレバー３１によって塞がれているのでゴム球２０内の空気は第１送気管２３から送り出される。第１送気管２３から送り出された空気は電子内視鏡１１に送られ、その挿入部１１ａから送気される。
【００２４】
電子内視鏡１１に送水する場合には、作業者は送気管選択ボタン２５を押下して第２送出位置に位置させながらゴム球２０の圧縮操作を繰り返し行う。このとき、第１送気管２３は第１閉鎖位置に移動した送気管切り替えレバー３１によって塞がれているのでゴム球２０内の空気が第２送気管２４から送り出される。第２送気管２４から送り出された空気は送水タンク１４に送り込まれる。送水タンク１４内に空気が送り込まれると送水タンク１４内の内圧が高くなって、内部の液体が電子内視鏡１１に送り込まれる。これにより、電子内視鏡１１の挿入部１１ａから送水される。
【００２５】
上記実施形態では、選択操作部として送気管選択ボタン２５を設けたが、例えばレバーやダイヤル式にするなどその形態は適宜の形態にしてよい。
【００２６】
上記実施形態では、電子内視鏡に本発明を適用したが、ファイバースコープを通して患部を観察する内視鏡など、適宜の内視鏡に本発明を適用してよい。
【図面の簡単な説明】
【００２７】
【図１】手動ポンプを電子内視鏡に接続した状態の外観斜視図である。
【図２】手動ポンプの外観斜視図である。
【図３】手動ポンプの分解斜視図である。
【図４】送気管選択ボタンの押下に伴う連動部分の手動ポンプの縦断面図である。
【図５】送気管切り替えレバーの構成部分の手動ポンプの縦断面図である。
【符号の説明】
【００２８】
１０  手動ポンプ
１１  電子内視鏡
２１，２２  キャップ
２２ａ  吸気通路
２３  第１送気管
２３ａ  管路
２４  第２送気管
２４ａ  管路
２５  送気管選択ボタン（選択操作部材）
３０  第１逆流防止弁
３１  送気管切り替えレバー（送気管切り替え部材）
３４  第２逆流防止弁
【図１】
2010082045.tif 000003
【図２】
2010082045.tif 000004
【図３】
2010082045.tif 000005
【図４】
2010082045.tif 000006
【図５】
2010082045.tif 000007